(57)【要約】【課題】実釣における穂先の変化を確実に示し、釣竿の視認性を大幅に向上させることができる釣竿用マーカーを提供する。【解決手段】釣竿用マーカー４２は、釣竿１０の穂先部４１に装着されるものである。釣竿用マーカー４２は、周面６３並びに一端面６１及び他端面６２を有し、一端面６１及び他端面６２に集光される集光アクリル材からなる本体３９を備えている。釣竿用マーカー４２の周面６３に、一端面６１と他端面６２とを連通し且つ穂先部４１が長手方向に挿入される溝部６４が形成されている。溝部６４の一部が幅狭になっており、穂先部４１が溝部６４に挿入される際に、当該一部と当接する。この状態でユーザが穂先部４１を溝部６４に押しつけることにより、穂先部４１は溝部６４の幅狭になった部分に圧入され、釣竿用マーカー４２が穂先部４１に装着される。【選択図】図２
2014204691.tif 000002
【特許請求の範囲】
【請求項１】
釣竿の穂先部に装着される釣竿用マーカーであって、
周面並びに一端面及び他端面を有し、当該一端面及び他端面に集光される集光樹脂からなる本体を備え、
上記一端面と他端面とを連通し且つ上記穂先部が長手方向に挿入される溝部が上記周面に形成されており、
当該溝部の少なくとも一部に上記穂先部が圧入される幅狭部が設けられている釣竿用マーカー。
【請求項２】
上記幅狭部は、上記溝部の内壁面に設けられた突起からなる請求項１に記載の釣竿用マーカー。
【請求項３】
上記本体は、円柱状に形成されており、
上記溝部は、上記本体の径方向に切り込まれ且つ軸方向に対して傾斜した複数のスリットが上記軸方向に連続することにより形成され、隣り合うスリット同士は互いに反対方向に傾斜されている請求項１に記載の釣竿用マーカー。
【請求項４】
上記幅狭部は、上記溝部に嵌合されることによって当該溝部に挿入された上記穂先部を挟持する補助部材を有する請求項１に記載の釣竿用マーカー。
【請求項５】
上記本体は、円柱状に形成され、
上記溝部は、上記本体の径方向に切り込まれたスリットからなり、
上記補助部材は、
上記スリットに挿入される主軸部と、当該主軸部の端部に連続し、上記本体の端面に当接する端面板とを有し、当該端面板に上記穂先部が径方向に挿入し得る切込みが形成されている請求項４に記載の釣竿用マーカー。
【発明の詳細な説明】
【技術分野】
【０００１】
この発明は、釣竿、特に穂先の視認性を向上させる釣竿用マーカーに関するものである。
【背景技術】
【０００２】
釣竿を使用する釣りのジャンルは様々であるが、たとえば船からのカワハギ釣りや磯での沈め釣り等では、釣人は、いわゆる魚のアタリを穂先の変化で捉えることがある。魚のアタリが穂先で捉えられるためには、穂先の感度が高くなければならない。この場合の「感度」とは、上記アタリによる振動がどれ程ストレートに穂先の変化となって現れるかどうかの度合いのことである。釣竿、特に穂先の構造については、従来から種々の改良が加えられている（たとえば、特許文献１参照）。
【先行技術文献】
【特許文献】
【０００３】
【特許文献１】特開２００５−５２０９３号公報
【発明の概要】
【発明が解決しようとする課題】
【０００４】
ところで、穂先の感度が向上したとしても、穂先の微妙な変化を釣人が確実に視認することができなければ、結局魚のアタリを捉えることはできない。穂先の視認性を向上させるために、穂先が着色されている釣竿も提供されているが、単なる着色は、効果的な対策ではなかった。また、穂先に発光装置を装着する手段も考えられるが、電源等を備えた発光装置の重量は大きく、事実上、これを高感度な穂先に装着することは不可能である。
【０００５】
この発明は、かかる背景のもとになされたものであって、その目的は、実釣における穂先の変化を確実に示し、釣竿の視認性を大幅に向上させることができる釣竿用マーカーを提供することである。
【課題を解決するための手段】
【０００６】
(1) 本発明に係る釣竿用マーカーは、釣竿の穂先部に装着されるものである。釣竿用マーカーは、周面並びに一端面及び他端面を有し、当該一端面及び他端面に集光される集光樹脂からなる本体を備える。上記一端面と他端面とを連通し且つ上記穂先部が長手方向に挿入される溝部が上記周面に形成されている。当該溝部の少なくとも一部に上記穂先部が圧入される幅狭部が設けられている。
【０００７】
この構成によれば、釣竿用マーカーは、釣竿の穂先部が溝部に挿入されることによって、穂先部に装着される。また、穂先部は幅狭部において圧入されて溝部に挿入されるため、釣竿用マーカーが穂先部に装着された状態を保持することができる。
【０００８】
また、釣竿用マーカーは、集光樹脂からなる本体を備える。ここで、集光樹脂は、外部から入射した光を集めて所定箇所から放射する特徴を有する部材である。よって、釣竿用マーカーの本体は、外部から入射した光を集めて放射する。そのため、釣竿用マーカーは、光が放射された部分が他の部分よりも輝いて見える。その結果、釣竿用マーカーが装着された釣竿の穂先部の視認性を向上させることができる。また、釣竿用マーカーは重量の小さい樹脂で構成されているため、釣竿の穂先部の感度を良好に維持することができる。
【０００９】
(2) 上記幅狭部は、上記溝部の内壁面に設けられた突起からなる。
【００１０】
この構成によれば、釣竿の穂先部は、釣竿用マーカーが溝部へ挿入される過程において、突起と当接することによって当該挿入を阻まれる。これにより、穂先部を溝部に完全に挿入させるために、ユーザは、穂先部を溝部へ向けて押し込んで、本体における突起を弾性変形させる必要がある。その結果、穂先部は溝部に圧入されるため、釣竿用マーカーが穂先部に装着された状態を保持することができる。
【００１１】
(3) 上記本体は、円柱状に形成されている。上記溝部は、上記本体の径方向に切り込まれ且つ軸方向に対して傾斜した複数のスリットが上記軸方向に連続することにより形成され、隣り合うスリット同士は互いに反対方向に傾斜されている。
【００１２】
この構成によれば、釣竿の穂先部は、釣竿用マーカーが溝部へ挿入される過程において、互いに隣り合うスリットの境界部分で本体と当接することによって当該挿入を阻まれる。これにより、穂先部を溝部に完全に挿入させるために、ユーザは、穂先部を溝部へ向けて押し込んで、本体における上記境界部分を弾性変形させる必要がある。その結果、穂先部は溝部に圧入されるため、釣竿用マーカーが穂先部に装着された状態を保持することができる。
【００１３】
(4) 上記幅狭部は、上記溝部に嵌合されることによって当該溝部に挿入された上記穂先部を挟持する補助部材を有する。
【００１４】
この構成によれば、釣竿の穂先部を釣竿用マーカーの溝部へ挿入しておいてから、補助部材を溝部に嵌合させることができる。補助部材が溝部に嵌合された状態において、穂先部は、本体と補助部材とによって挟持される。これにより、穂先部が溝部に挿入された状態を維持することができる。つまり、釣竿の穂先部を釣竿用マーカーの溝部へ挿入しておいてから、補助部材を溝部に嵌合させることによって、穂先部が溝部に圧入された状態を実現することができる。
【００１５】
(5) 上記本体は、円柱状に形成されている。上記溝部は、上記本体の径方向に切り込まれたスリットからなる。上記補助部材は、上記スリットに挿入される主軸部と、当該主軸部の端部に連続し、上記本体の端面に当接する端面板とを有し、当該端面板に上記穂先部が径方向に挿入し得る切込みが形成されている。
【００１６】
この構成によれば、釣竿用マーカーのユーザは、端面板を把持することによって主軸部をスリットから容易に引き抜くことができる。
【発明の効果】
【００１７】
この発明によれば、実釣における穂先の変化を確実に示し、釣竿の視認性を大幅に向上させた釣竿用マーカーを提供することができる。
【図面の簡単な説明】
【００１８】
【図１】図１は、釣竿１０の要部の正面図である。
【図２】図２は、釣竿用マーカー４２及び穂先部４１の斜視図である。
【図３】図３は、釣竿用マーカー４２の斜視図である。
【図４】図４（Ａ）は、釣竿用マーカー４２の平面図であり、図４（Ｂ）は、釣竿用マーカー４２の正面図であり、図４（Ｃ）は、釣竿用マーカー４２の側面図である。
【図５】図５は、変形例１における釣竿用マーカー４２の斜視図である。
【図６】図６（Ａ）は、変形例１における釣竿用マーカー４２の本体３９の平面図であり、図６（Ｂ）は、変形例１における釣竿用マーカー４２の本体３９の正面図であり、図６（Ｃ）は、変形例１における釣竿用マーカー４２の本体３９の側面図である。
【図７】図７（Ａ）は、変形例１における釣竿用マーカー４２の補助部材８０の平面図であり、図７（Ｂ）は、変形例１における釣竿用マーカー４２の補助部材８０の正面図であり、図７（Ｃ）は、変形例１における釣竿用マーカー４２の補助部材８０の側面図である。
【図８】図８は、変形例２における釣竿用マーカー４２の斜視図である。
【図９】図９は、変形例４における釣竿用マーカー４２の斜視図である。
【発明を実施するための形態】
【００１９】
以下、本発明の好ましい実施形態が、適宜図面が参照されながら説明される。なお、本実施の形態は、本発明に係る釣竿用マーカーの一態様にすぎず、本発明の要旨を変更しない範囲で実施態様が変更されてもよいことは言うまでもない。
【００２０】
［釣竿１０］
図１は、本発明の一実施形態に係る釣竿用マーカー４２（図２及び図３参照）が装着される釣竿１０の正面図である。図１において、釣竿用マーカー４２の図示は省略されている。また、説明を簡単にするために、図１では釣竿１０の一部の図示が省略されている。釣用リール１１が、図１に示される釣竿１０に装着されている。図１に示される釣竿１０は、魚がヒットした状態である。
【００２１】
釣竿１０は、例えば船釣りに使用される振出式のものである。なお、釣竿１０は、船釣り以外に使用されるものであってもよいし、振出式でなく継ぎ式であってもよい。
【００２２】
釣竿１０は、炭素繊維強化プラスチックやガラス繊維強化プラスチックなどで形成されている。釣竿１０は、複数の節１２、１３、１４と複数のガイド部材１５とを備えている。
【００２３】
節とは、釣竿１０を構成する細長棒状の部材である。節は、釣竿１０の先端側から順に第１番節１２、第２番節（図示せず）と呼ばれ、最も後端の節は、特に元節１４と呼ばれる。元節１４に連続する前節は、特に元上節１３と呼ばれる。各節１２〜１４は筒状に形成されている。各節１２〜１４は、公知の方法によって、例えばカーボン繊維を含侵させた樹脂シート（カーボンプリプレグ）を螺旋状に巻回して焼成することによって製造することができる。
【００２４】
ガイド部材１５が、各節１２〜１４に設けられている。各ガイド部材１５は、釣用リール１１から繰り出される釣糸１９が挿通される挿通孔５２（図２参照）を有する。各ガイド部材１５は、釣糸１９を釣竿１０の外周面に沿って長手方向に案内するためのものである。すなわち、図１に示された釣竿１０は、所謂アウターガイドタイプの釣竿である。なお、釣竿１０は、筒状に形成された各節の内部に釣糸１９を通す所謂インナーガイドタイプの釣竿であってもよい。
【００２５】
釣竿１０は、穂先部４１及びバット部４４を有している。穂先部４１は、釣竿１０の先端部（先端及びその近傍の部分）である。また、穂先部４１は、釣竿１０のユーザが魚のアタリを釣竿１０の湾曲の変化で捉える際に、当該ユーザによって視認される部分である。穂先部４１は、第１番節１２の一部である。詳細には、穂先部４１は、第１番節１２のうち、釣竿１０の最も先端側に設けられたガイド部材１５Ａと先端側から２番目に設けられたガイド部材１５Ｂとの間の部分である。なお、穂先部４１は、当該部分に限らず、例えば、第１番節１２のうち、ガイド部材１５Ａと先端側から３番目に設けられたガイド部材１５Ｃとの間の部分であってもよいし、第１番節１２から第２番節に亘っていてもよい。
【００２６】
バット部４４は、釣竿１０の基端部（基端及びその近傍の部分）である。バット部４４は、元節１４の一部である。バット部４４は、元節１４の基端近傍に設けられたリアグリップ４５と、リアグリップ４５よりも先端側に設けられたフロントグリップ４６と、リアグリップ４５及びフロントグリップ４６の間に設けられたリールシート４７とを備えている。
【００２７】
リアグリップ４５及びフロントグリップ４６は、ゴムなどの高摩擦係数の部材で形成されている。釣竿１０が使用される際、リアグリップ４５及びフロントグリップ４６の少なくとも一方が、釣竿１０のユーザによって把持される。
【００２８】
リールシート４７は、釣用リール１１を釣竿本体４０に保持するためのものである。以下に詳述する。リールシート４７は、元節１４を覆っており元節１４の長手方向に沿って摺動可能な可動フード４９と、可動フード４９よりも釣竿１０の基端側に設けられた固定フード４８と、可動フード４９の摺動をロックするロック部（不図示）とを備えている。可動フード４９は、釣用リール１１に設けられた脚の一方側を保持する。固定フード４８は、釣用リール１１に設けられた脚の他方側を保持する。可動フード４９及び固定フード４８の双方が釣用リール１１の脚を保持した状態において、可動フード４９は、ロック部によって摺動不可能な状態とされることにより、固定フード４８と協働して釣用リール１１がリールシート４７に位置決め固定する。
【００２９】
［釣竿用マーカー４２］
図３に示される釣竿用マーカー４２が、図２に示されるように、釣竿１０の穂先部４１に装着される。図３に示されるように、釣竿用マーカー４２は、円柱形状に形成された本体３９を備えている。本体３９は、円柱の底面のうちの一方に相当する一端面６１と、円柱の底面のうちの他方に相当する他端面６２と、円柱の側面に相当する周面６３とを備えている。
【００３０】
本体３９には、溝部６４が形成されている。溝部６４は、本体３９の周面６３に形成されている。詳細には、溝部６４は、本体３９が周面６３から本体３９の径方向に切り込まれることによって形成されている。また、溝部６４は、一端面６１から他端面６２に亘って延びている。つまり、溝部６４は、一端面６１と他端面６２とを連通している。
【００３１】
溝部６４は、本体３９の軸方向６５に沿ってジグザグ状に延びている。以下に詳述する。図３に示されるように、溝部６４は、本体３９に形成された側面６６Ａ〜６６Ｈによって区画されている。すなわち、溝部６４は、４対の側面６６Ａ−６６Ｂ、６６Ｃ−６６Ｄ、６６Ｅ−６６Ｆ、６６Ｇ−６６Ｈによって区画されている。また、各側面６６がスリット６０を形成している。すなわち、４対の側面６６Ａ−６６Ｂ、６６Ｃ−６６Ｄ、６６Ｅ−６６Ｆ、６６Ｇ−６６Ｈが、スリット６０ＡＢ、６０ＣＤ、６０ＥＦ、６０ＧＨを形成している。
【００３２】
図３及び図４（Ｃ）に示されるように、側面６６は軸方向６５に沿って連続して屈曲されている。なお、本実施形態では４つのスリット６０が設けられているが、スリット６０の数は４つに限らない。
【００３３】
隣り合う一対の側面６６同士、つまり隣り合うスリット６０同士は、軸方向６５に対して互いに反対方向に傾斜されている。具体的には、一対の側面６６Ａ−６６Ｂ（スリット６０ＡＢ）は、軸方向６５の一方の向き、つまり一端面６１から他端面６２への第１向き６７に向かうに従って、第１向き６７と直交する第２向き６８に向かうように傾斜している。また、一対の側面６６Ａ−６６Ｂと隣り合う一対の側面６６Ｃ−６６Ｄ（スリット６０ＣＤ）は、第１向き６７に向かうに従って、第２向き６８と反対向きの第３向き６９に向かうように傾斜している。また、一対の側面６６Ｃ−６６Ｄと隣り合う一対の側面６６Ｅ−６６Ｆ（スリット６０ＥＦ）は、第１向き６７に向かうに従って第２向き６８に向かうように傾斜しており、一対の側面６６Ｅ−６６Ｆと隣り合う一対の側面６６Ｇ−６６Ｈ（スリット６０ＧＨ）は、第１向き６７に向かうに従って第３向き６９に向かうように傾斜している。
【００３４】
スリット６０が、上記のようにジグザグ状に形成されるので、図３及び図４に示されるように、隣り合うスリット６０の境界に突出部７０Ａ、７０Ｂ、７０Ｃ（請求項に記載された「幅狭部」に相当）が形成されている。図４（Ｃ）に示されるように、突出部７０Ａ、７０Ｃと、突出部７０Ｂとの間の、第２向き６８に沿った距離Ｄ１は、溝部６４に挿入される釣竿１０の穂先部４１の直径よりも若干小さい。一方で、一対の側面６６において互いに対向する各位置間の距離Ｄ２〜Ｄ５は、穂先部４１の直径と略同一または当該直径よりも若干大きいことが好ましい。
【００３５】
釣竿用マーカー４２は、釣竿１０の穂先部４１が本体３９の溝部６４に挿入されることによって、穂先部４１に装着されている。以下に、図３及び図４を参照しながら詳述する。穂先部４１は、その長手方向が本体３９の軸方向６５と一致するように、本体の径方向に沿って溝部６４に挿入される。
【００３６】
穂先部４１が溝部６４に挿入される際、距離Ｄ１が穂先部４１の直径よりも小さいために、穂先部４１は、本体３９の突出部７０Ａ、７０Ｂ、７０Ｃと当接する。この状態で、釣竿１０及び釣竿用マーカー４２のユーザは、穂先部４１を突出部７０Ａ、７０Ｂ、７０Ｃに押しつける。すると、本体３９の突出部７０Ａ、７０Ｂ、７０Ｃが、穂先部４１に押されることによって溝部６４の幅を広げるように弾性変形する。具体的には、本体３９の突出部７０Ａ、７０Ｃは、第３向き６９に弾性変形し、本体３９の突出部７０Ｂは、第２向き６８に弾性変形する。
【００３７】
これにより、穂先部４１は、溝部６４の周面６３を通過して、溝部６４の奥側へ到達する。その結果、穂先部４１は、溝部６４から抜け出ることが防止される。以上より、穂先部４１は、一対の側面６６における突出部７０Ａ、７０Ｂ、７０Ｃが形成された部分に圧入されることによって、溝部６４へ挿入される。穂先部４１が溝部６４に挿入された状態が、図２に示されている。
【００３８】
釣竿用マーカー４２が穂先部４１に取り付けられた状態、つまり図２に示された状態において、釣竿用マーカー４２の一端面６１または他端面６２の何れか一方が、釣竿１０の基端側、つまりバット部４４側に向いている。
【００３９】
釣竿用マーカー４２の本体３９は、以下に詳述するような集光アクリル材（請求項に記載された「集光樹脂」に相当）によって形成されている。集光アクリル材は、以下のような特徴を有するアクリル樹脂である。つまり、集光アクリル材よりなる部材（釣竿用マーカー４２）の所定面（周面６３）から入射した光は、当該部材の内部で集められて当該所定面とは異なる他の面（一端面６１及び他端面６２）から放出される。
【００４０】
集光アクリル材によって形成された釣竿用マーカー４２は、図４（Ａ）に示されるように、本体３９の軸方向６５の長さＡが一端面６１及び他端面６２の直径Ｒよりも大きい円柱形状である。底面５０の直径Ｒに対する軸方向６５の長さＡの割合を適切に設定することによって、釣竿用マーカー４２は、上述した特徴を有するようになる。上記割合は、例えば、アクリル樹脂の屈折率や、釣竿用マーカー４２の周囲に存在する物質である空気の屈折率などに基づいて設定される。
【００４１】
上記割合が適切に設定された釣竿用マーカー４２の周面６３から入射した光の多くは、当該周面６３における入射位置と異なる位置で全反射する。全反射した光は、釣竿用マーカー４２の周面６３を通過して釣竿用マーカー４２の外側に放射されることはない。そして、上記全反射は、釣竿用マーカー４２の周面６３から入射した光が釣竿用マーカー４２の一端面６１または他端面６２に到達するまで繰り返される。つまり、釣竿用マーカー４２の周面６３から入射した光の多くは、集光されて一端面６１及び他端面６２から放射される。これにより、釣竿用マーカー４２の一端面６１及び他端面６２は、釣竿用マーカー４２の周面６３よりも明るく光って見える。
【００４２】
なお、マーカー４２は、集光アクリル材に限らず、例えば、集光材が含まれたポリカーボネート（請求項に記載された「集光樹脂」に相当）によって形成されていてもよい。
【００４３】
［実施形態の効果］
この実施形態によれば、釣竿用マーカー４２は、釣竿１０の穂先部４１が溝部６４に挿入されることによって、穂先部４１に装着される。また、穂先部４１は、一対の側面６６における突出部７０Ａ、７０Ｂ、７０Ｃが形成された部分に圧入されて溝部６４に挿入されるため、釣竿用マーカー４２が穂先部４１に装着された状態を保持することができる。
【００４４】
また、釣竿用マーカー４２は、集光アクリル材からなる本体３９を備える。そのため、釣竿用マーカー４２は、光が放射された部分が他の部分よりも輝いて見える。その結果、釣竿用マーカー４２が装着された釣竿１０の穂先部４１の視認性を向上させることができる。また、釣竿用マーカー４２は重量の小さいアクリル材で構成されているため、釣竿１０の穂先部４１の感度を良好に維持することができる。以上より、実釣における穂先の変化を確実に示し、釣竿１０の視認性を大幅に向上させることができる。
【００４５】
また、釣竿１０の穂先部４１は、釣竿用マーカー４２が溝部６４へ挿入される過程において、互いに隣り合うスリット６０の境界部分、つまり突出部７０Ａ、７０Ｂ、７０Ｃで本体３９と当接することによって当該挿入を阻まれる。これにより、穂先部４１を溝部６４に完全に挿入させるために、ユーザは、穂先部４１を溝部６４へ向けて押し込んで、本体３９における上記境界部分を弾性変形させる必要がある。その結果、穂先部４１は溝部６４に圧入されるため、釣竿用マーカー４２が穂先部４１に装着された状態を保持することができる。
【００４６】
［変形例１］
上述の実施形態において、釣竿用マーカー４２は、図３及び図４に示されるような形状であったが、釣竿用マーカー４２は、釣竿１０の穂先部４１に装着可能であるならば、図３及び図４に示されるような形状に限らない。
【００４７】
例えば、釣竿用マーカー４２は、図５に示されるように、本体３９と補助部材８０（請求項に記載された「幅狭部」に相当）とで構成されていてもよい。
【００４８】
図５及び図６に示されるように、本体３９は、上述の実施形態と同様に円柱形状に形成されている。また、溝部６４は、上述の実施形態と同様に、本体３９が周面６３から径方向に切り込まれることによって形成されたスリット７８からなる。また、溝部６４は、一端面６１から他端面６２に亘って延びている。また、溝部６４は、図６（Ａ）及び図６（Ｂ）に示されるように、本体３９に形成された一対の側面８１によって区画されている。つまり、一対の側面８１は、スリット７８を形成している。但し、溝部６４の形状は上述の実施形態と異なる。つまり、溝部６４は、上述の実施形態と異なり、本体３９の軸方向６５に沿って真っ直ぐ延びている。
【００４９】
本体３９の軸方向６５及び溝部６４の深さ方向８２と直交する幅方向８３における溝部６４の長さ、つまり溝部６４の幅は、溝部６４の開口側である程に狭く、溝部６４の奥側へ向かうに従って徐々に広くなる。そして、溝部６４の開口側の幅は、穂先部４１の直径よりも狭く、溝部６４の奥側の幅は、穂先部４１の直径よりも広い。また、溝部６４の開口側の幅は、軸方向６５における全域に亘って、穂先部４１の直径よりも狭い。なお、溝部６４の開口側の幅は、軸方向６５における一部において、穂先部４１の直径よりも狭くてもよい。
【００５０】
このスリット７８を形成している一対の側面８１のうち溝部６４の開口側の部分、つまり穂先部４１の直径よりも幅狭の部分、及び補助部材８０が、請求項に記載された「幅狭部」を構成している。
【００５１】
図５及び図７に示されるように、補助部材８０は、主軸部８４と端面板８５とを備えている。主軸部８４は、四角柱の棒状部材である。なお、主軸部８４は、四角柱に限らず、円柱などであってもよい。主軸部８４の長手方向の長さは、本体３９の溝部６４の軸方向６５に沿った長さと略同一であることが好ましいが、溝部６４よりも短くてもよいし長くてもよい。
【００５２】
主軸部８４の断面の四角形の大きさ及び形状は、図５に示されるように主軸部８４が矢印７９の向きに溝部６４へ挿入可能な大きさ及び形状である。これにより、主軸部８４は、本体３９の軸方向６５に沿って溝部６４へ挿入可能である。一方、主軸部８４の断面の四角形の各辺の長さは、溝部６４の開口側の部分の幅よりも長い。これにより、主軸部８４は、本体３９における溝部６４の開口側が弾性変形しない限り、本体３９の径方向に沿って溝部６４へ挿入不可能であり、本体３９の径方向に沿って溝部６４から脱抜不可能である。
【００５３】
端面板８５は、主軸部８４の長手方向における一方の端部に連続して設けられている。端面板８５は、円柱形状に形成されている。なお、端面板８５は、円柱形状以外、例えば四角柱形状などであってもよい。端面板８５の円柱側面８６には、切込み８８が形成されている。切込み８８の幅ｄ（図７（Ｂ）参照）は、釣竿１０の穂先部４１の直径よりも広い。これにより、穂先部４１は、端面板８５の径方向に沿って切込み８８に挿入し得る。
【００５４】
釣竿用マーカー４２は、例えば、以下のような順序で釣竿１０の穂先部４１に装着されている。以下に詳述する。最初に、穂先部４１は、その長手方向が本体３９の軸方向６５と一致するように、本体３９の径方向に沿って溝部６４に挿入される。つまり、穂先部４１は、溝部６４の開口側の部分に圧入されることにより当該開口側の部分を弾性変形させることによって、溝部６４に挿入される。
【００５５】
次に、補助部材８０の主軸部８４が、その長手方向が本体３９の軸方向６５と一致するように、本体３９の軸方向６５に沿って溝部６４に挿入される。具体的には、主軸部８４は、本体３９の他端面６２側から溝部６４に挿入される。続いて、主軸部８４が、溝部６４に圧入される。これにより、主軸部８４と溝部６４とは嵌合され、その結果、溝部６４に挿入されている穂先部４１は、本体３９と主軸部８４とによって挟持されて、溝部６４に保持される。
【００５６】
なお、補助部材８０は、主軸部８４のみで構成されていてもよい。つまり、補助部材８０は、端面板８５を有していなくてもよい。
【００５７】
変形例１によれば、釣竿１０の穂先部４１を釣竿用マーカー４２の溝部６４へ挿入しておいてから、補助部材８０を溝部６４に嵌合させることができる。補助部材８０が溝部６４に嵌合された状態において、穂先部４１は、本体３９と補助部材８０の主軸部８４とによって挟持される。これにより、穂先部４１が溝部６４に挿入された状態を維持することができる。つまり、釣竿１０の穂先部４１を釣竿用マーカー４２の溝部６４へ挿入しておいてから、補助部材８０を溝部６４に嵌合させることによって、穂先部４１が溝部６４に圧入された状態を実現することができる。
【００５８】
また、釣竿用マーカー４２のユーザは、端面板８５を把持することによって主軸部８４をスリット７８、つまり溝部６４から容易に引き抜くことができる。
【００５９】
［変形例２］
上述の実施形態では、スリット６０を区画する側面６６に突出部７０Ａ、７０Ｂ、７０Ｃが形成されていたが、これに対して、図８に示されるように、軸方向６５に沿って真っ直ぐに延びたスリット６０を形成する一対の側面８１から突出した突起８７（請求項に記載された「幅狭部」に相当）が形成されていてもよい。突起８７は、一対の側面８１の一方における溝部６４の開口側の端部から一対の側面８１の他方に向けて突出している。また、突起８７は、本体３９の軸方向６５に沿って間隔を空けて複数設けられている。なお、一対の側面の一方に設けられた突起８７と他方に設けられた突起８７とは、図８（Ａ）に示されるように対向していないくてもよいし、図８（Ｂ）に示されるように対向していてもよい。
【００６０】
釣竿用マーカー４２の穂先部４１の溝部６４への挿入方法は、上述の実施形態と概ね同様であるが、穂先部４１が突出部７０Ａ、７０Ｂ、７０Ｃの代わりである突起８７と当接する点が異なる。穂先部４１が突起８７と当接した状態で、釣竿１０及び釣竿用マーカー４２のユーザが、穂先部４１を突起８７に押しつけると、本体３９の突起８７周辺が弾性変形して、穂先部４１が溝部６４へ圧入される。
【００６１】
変形例２によれば、釣竿１０の穂先部４１は、釣竿用マーカー４２が溝部６４へ挿入される過程において、突起８７と当接することによって当該挿入を阻まれる。これにより、穂先部４１を溝部６４に完全に挿入させるために、ユーザは、穂先部４１を溝部６４へ向けて押し込んで、本体３９における突起８７を弾性変形させる必要がある。その結果、穂先部４１は突起８７において溝部６４に圧入されるため、釣竿用マーカー４２が穂先部４１に装着された状態を保持することができる。
【００６２】
［変形例３］
上述の実施形態において、釣竿用マーカー４２は、円柱形状であったが、円柱形状に限らず、例えば四角柱形状であってもよい。
【００６３】
［変形例４］
上述の実施形態において、スリット６０は、図３に示されるように屈曲したジグザグ形状であったが、スリット６０は、図９に示されるように滑らかに湾曲したジグザグ形状であってもよい。
【符号の説明】
【００６４】
１０・・・釣竿
１１・・・釣用リール
３９・・・本体
４１・・・穂先部
４２・・・釣竿用マーカー
４４・・・バット部
６１・・・一端面
６２・・・他端面
６３・・・周面
６４・・・溝部
７０・・・突出部
【図１】
2014204691.tif 000003
【図２】
2014204691.tif 000004
【図３】
2014204691.tif 000005
【図４】
2014204691.tif 000006
【図５】
2014204691.tif 000007
【図６】
2014204691.tif 000008
【図７】
2014204691.tif 000009
【図８】
2014204691.tif 000010
【図９】
2014204691.tif 000011